(57)【要約】【課題】患者を抱え上げることなく、サークル型の歩行器に乗せることを可能にする。【解決手段】サークル型フレーム10は、キャスター４を具えた下フレーム２と、該下フレームに対して昇降可能に配備され後部側から使用者がフレーム10に入り込み可能な開放部31を有する上フレーム３を含み、患者が跨る支え部材６を上フレーム３に着脱可能に取り付けている。支え部材６を患者の尻91に敷いてから該支え部材をフレーム10に係止し、支え部材６を、患者の足の筋肉を鍛えるために最も効果的な高さ位置にセットできる。【選択図】図１
2007202880.tif 000002
【特許請求の範囲】
【請求項１】
使用者(９)の周囲を取り囲むことができ下端部にキャスター(４)を具えたフレーム(10)と、該フレーム(10)に取り付けられ尻(91)を載せて使用者(９)を吊り支える支え部材(６)を具えた歩行器において、
フレーム(10)は、キャスター(４)を具えた下フレーム(２)と、該下フレーム(２)に対して昇降可能に配備され後部側から使用者(９)がフレーム(10)に入り込み可能な開放部(31)を有する上フレーム(３)を含み、上フレーム(３)は昇降駆動装置(５)に連繋されており、支え部材(６)は、使用者(９)の尻(91)を載せることができると共に使用者(９)の足(92)を床へ投げ出すことを許す形状の柔軟性を有するシート片(61)と該シート片(61)の複数箇所に設けられ前記上フレーム(３)に着脱可能に取付けできる取付け部(62)とによって構成されている歩行器。
【請求項２】
シート片(61)は滑りのよい素材で形成され、或いは滑り易い表面加工が施されている請求項１に記載の歩行器。
【請求項３】
下フレーム(２)と上フレーム(３)との間には、下フレーム(２)と上フレーム(３)によって使用者のベッド(８)の端部を挟む様にしてフレーム(10)をベッド(８)に突っ込むことが可能に様に、フレーム(10)の前後方向の略中央部から後方にはベッド(８)に衝突する邪魔部材が存在していない請求項１又は２に記載の歩行器。
【請求項４】
昇降駆動装置(５)は、モータシリンダ(51)等の動力駆動式である請求項１に記載の歩行器。
【発明の詳細な説明】
【技術分野】
【０００１】
本発明は、身体障害者のリハビリテーション(以下、「リハビリ」とする)や、足腰の弱い人の歩行補助に適した歩行器に関する。
【背景技術】
【０００２】
図４、図５に示す如く、この種歩行器(1a)として、使用者の周囲を取り囲むことができ下部にキャスター(４)を具えたフレーム(10)と、３本の吊下げベルト(12a)(12)(12)によってフレーム(10)に吊り下げられたサドル(13)とによって構成されたものが提案されている(特許文献１)。
フレーム(10)は、夫々後部に使用者が出入可能な開放部(21)(31)を具えた略リング状の下フレーム(２)と上フレーム(３)を、３本の縦柱(11)(11)(11)で連結して形成されている。
【０００３】
介助者(図示せず)が使用者(９)を支えながら、開放されたフレーム(10)の後部側からフ
レーム(10)内に進入させ、上フレーム(３)を掴ませて使用者(９)をフレーム(10)に立たせる。
３本の吊下げベルト(12)(12)(12a)の内、後部２本の吊りベルト(12)(12)によって上フレーム(３)に吊り下げられた状態のサドル(13)を持ち上げて使用者(９)の股の間に入れながら、前部の吊りベルト(12a)を上フレーム(３)に連結し、水平状態となったサドル(13)に使用者(９)を着座させる。
この状態で、使用者(９)が足を少しずつ動かすと、キャスター(４)が取り付けられたフフレーム(10)は容易に前進し、この動作を繰り返し行うことによって、使用者(９)の歩行機能の回復が望める。
【０００４】
【特許文献１】特開２００２−２８２３１５号公報
【発明の開示】
【発明が解決しようとする課題】
【０００５】
上記歩行器(1a)は、介助者が使用者(９)を立たせてフレーム(10)内に導かねばならないため、立つことのできない者が使用するには、複数の介助者を必要とし、少なくとも一人の介助者は使用者を抱えてフレーム(10)内に導き、使用者を抱えたまま立ち姿勢をとらせ、少なくとも別の介助者がサドルをセットしなければならない。
介助者が使用者をベッドから抱え上げてフレーム(10)内に案内し、さらにさのまま立ち姿勢を取らせる様に介助することは、介助者と使用者の双方にとって、労力や、肉体的負担は大きい。
特に、使用者が身体障害者や、足腰の弱った弱者であるから、抱え上げられることの肉体的負担に耐えられず、折角の歩行器が使用できないことも往々にしてある。
【０００６】
本発明は、歩行器を使用しようとする者を、ベッドの端からベッドの外に足を投げ出した姿勢のまま、歩行器に載せることを可能にして、介助者と患者の双方の負担を減らすと共に、歩行するのに重度の障害を持つ者でも、リハビリが可能な歩行器を明らかにするものである。
【課題を解決するための手段】
【０００７】
請求項１の歩行器は、使用者(９)の周囲を取り囲むことができ下端部にキャスター(４)を具えたフレーム(10)と、該フレーム(10)に取り付けられ尻(91)を載せて使用者(９)を吊り支える支え部材(６)を具えた歩行器において、
フレーム(10)は、キャスター(４)を具えた下フレーム(２)と、該下フレーム(２)に対して昇降可能に配備され後部側から使用者(９)がフレーム(10)に入り込み可能な開放部(31)を有する上フレーム(３)を含み、上フレーム(３)は昇降駆動装置(５)に連繋されており、支え部材(６)は、使用者(９)の尻(91)を載せることができると共に使用者(９)の足(92)を床へ投げ出すことを許す形状の柔軟性を有するシート片(61)と該シート片(61)の複数箇所に設けられ前記上フレーム(３)に着脱可能に取付けできる取付け部(62)とによって構成されている。
【０００８】
請求項２は請求項１の歩行器において、シート片(61)は滑りのよい素材で形成され、或いは滑り易い表面加工が施されている。
【０００９】
請求項３は請求項１又は２の歩行器において、下フレーム(２)と上フレーム(３)との間には、使用者のベッドの端部を挟む様にしてフレーム(10)をベッド(８)に突っ込むことが可能な様に、フレーム(10)の前後方向の略中央部から後方にはベッドに衝突する邪魔部材が存在していない。
【発明の効果】
【００１０】
請求項１の歩行器は、支え部材(６)をフレーム(10)から完全に外すことができるから、ベッド(８)の端からベッドの外に足を投げ出した姿勢の使用者の尻(91)とベッド(８)との間に、支え部材(６)のシート片(61)を滑り込ませてから、歩行器(１)を可及的にベッドに接近させて、支え部材(６)をその取付け部(62)によって歩行器(１)の上フレーム(３)に取り付ける。
昇降駆動装置(５)によって上フレーム(３)を上昇させると、支え部材(６)も上昇し、支え部材(６)上の使用者の尻(91)はベッドから浮上する。
歩行器(１)をベッド(８)から離して、使用者(９)が歩行訓練するのに最適の高さに支え部材(６)の高さ、即ち、使用者(９)の尻(91)の高さ位置を調節する。
【００１１】
上記動作において、使用者の障害が軽度であれば、介助者は、使用者の尻(91)の下に支え部材(６)のシート片(61)を滑り込ませること及び、支え部材(６)をフレーム(10)に取り付けることだけの介助で済む。使用者の障害が多少重度であっても、上記介助に加えて、使用者が後方に倒れることのない様に支えながら、使用者を乗せた歩行器(１)をベッド(８)から離す程度の介助で済む。
介助者が使用者を抱え上げて、歩行器内に導く動作は一切必要がなく、介助者、使用者の双方にとって、その労力や肉体的な負担は大きく軽減され、その分、使用者はリハビリに専念でき、介助者は、他の介助に気配りができる。
【００１２】
請求項２の歩行器は、支え部材(６)のシート片(61)の滑りがよいから、ベッド(８)と使用者(９)の尻(91)との間に、シート片(61)を楽に滑り込ませることができる。
【００１３】
請求項３の歩行器は、下フレーム(２)と上フレーム(３)によってベッド(８)の端部を挟む様にして歩行器(１)をベッド(８)に突っ込むことが出来るため、使用者(９)をベッド(８)から立ち上がらせることなく、支え部材(６)を歩行器(１)の上フレーム(３)に取り付けできる。
上記の様に、歩行器(１)の上フレーム(３)がベッド(８)に重なるほどにベッド(８)に接近させることが出来なくても、本発明の歩行器(１)は、使用者(９)を抱え上げることなく歩行器(１)に乗せることができる。即ち、支え部材(６)が上フレーム(３)から完全に取り外しできるから、支え部材(６)の取付け部(62)を長く形成しておく等の工夫により、使用者(９)が、尻下に支え部材(６)のシート片(61)を敷いてベッド(８)から足(92)を投げ出して坐った姿勢であっても、取付け部(62)を歩行器(１)の上フレーム(３)に取り付けることは可能である。但し、この場合、取付け部(62)が長くなる分だけ、リハビリ使用時の上フレーム(３)の高さ位置を高くする必要がある。
【発明を実施するための最良の形態】
【００１４】
図１は、本発明の歩行器(１)の一例を示している。
歩行器(１)は、サークル状のフレーム(10)と、該フレーム(10)内に着脱可能に取り付けられ使用者(９)の尻(91)を載せて吊り支える支え部材(６)とによって構成される。
図１において、フレーム(10)から外した支え部材(６)を実線で示し、フレーム(10)に取り付けた支え部材(６)を破線で示す。
【００１５】
フレーム(10)は、使用者(９)の周囲を取り囲み可能な大きさであり、３個以上のキャスター(４)を具えた下フレーム(２)と、該下フレーム(２)に対して昇降駆動装置(５)を介して昇降可能に配備された上フレーム(３)とによって構成される。
キャスター(４)は車輪の転がりを防止するロックレバーを具えている。
下フレーム(２)及び上フレーム(３)は一部に開放部(21)(31)を設けた円弧状に形成され、両開放部(21)(31)の位相は揃っており、開放部(31)(32)から使用者がフレーム(10)に入り込み可能である。
以下の説明で、上記フレーム(10)の開放部(21)(31)側を、歩行器(１)の「後側」、反対側を「前側」とする。
【００１６】
上フレーム(３)の開放部(31)には閉じ杆(33)が設けられる。閉じ杆(33)は、上フレーム(３)の円弧に連続する円弧状に形成され、一端が蝶番(34)によって上フレーム(３)の端部に取り付けられており、蝶番(34)を中心に閉じ杆(33)を起こすことにより、使用者がフレーム(10)内に入ることができる。
【００１７】
昇降駆動装置(５)は、上フレーム(３)を下フレーム(２)に対して平行状態を維持したまま昇降させるもので、実施例ではモータシリンダ(51)を用いた。モータシリンダ(51)は公知の如く、モータ(52)によってシリンダ(53)内の定位置のナット(図示せず)を回転させ、該ナットに螺合したピストン(54)をネジ推力で昇降させるものである。
モータ(52)には電源コード(図示せず)によって電源供給することも、フレーム(10)に小型バッテリー(図示せず)を搭載して電源供給することもできる。
実施例ではモータシリンダ(51)を歩行器(１)の左右に一基づつ設けている。両モータシリンダ(51)(51)は、同調制御部(図示せず)によって同調して動作する様に成されている。
【００１８】
モータシリンダ(51)の取付け位置は、フレーム(10)の前後方向に対して略中央部、或いはそれよりよりも前側に位置している。その理由は、歩行器(１)をベッド(８)側に後向きに移動させたとき、下フレーム(２)と上フレーム(３)によってベッド(８)の端部を挟む様にして歩行器(１)をベッド(８)に突っ込むことを可能にするためである。即ち、歩行器(１)のフレーム(10)には、前後方向の略中央部から後方にはベッド(８)に衝突する邪魔部材が存在しない。
【００１９】
上フレーム(３)には、前部中心の１箇所及び、後部の開放部(31)の両端に接近した２箇所の計３箇所に、支え部材(６)を取り付けるための掛り部(32)を設けている。
実施例の掛り部(32)は、上フレーム(３)に開設され上下方向に貫通した孔(35)である。
上フレーム(３)には、前記モータシリンダ(51)(51)の操作スイッチ(７)が配備されている。
スイッチ(７)は、使用者の右手或いは左手の何れか一方の自由が利かなくても操作できる様に、取付け位置を簡単に変更できることが望ましい。
【００２０】
支え部材(６)は、使用者(９)の尻(91)を載せることができると共に使用者(９)の足(92)を床へ投げ出すことを許す形状の柔軟性を有するシート片(61)と、該シート片(61)に設けられ前記上フレーム(３)の各掛り部(32)に着脱可能に取付けできる取付け部(62)とによって構成される。
実施例のシート片(61)は、滑りの良い素材、或いは滑りを良好にする表面加工、例えばフッ素樹脂のコーティングが成された略三角形に形成され、各コーナに取付け部(62)を設けている。
実施例の取付け部(62)は、シート片(61)の各頂部を帯状に延長し、或いは別の帯布を接続して延長部(63)を形成し、該延長部(63)の先端に前記フレーム(10)上の掛り部(32)に脱着可能に掛かるカラビナ(64)を取り付けて形成されている。
【００２１】
以下に上記歩行器(１)の使用法を説明する。
上フレーム(３)から支え部材(６)を外す。
図２に示す如く、ベッド(８)の端部に、該ベッドから足を投げ出して坐っている使用者(９)の尻(91)とベッド(８)との間に、支え部材(６)のシート片(61)を滑り込ませる。このとき、支え部材(６)の１つの取付け部(62)を使用者の股の間を潜って前側に位置させ、他の２つの取付け部(62)(62)は尻(91)の左右に位置させる。
【００２２】
シート片(61)は、滑りのよい素材で形成され、或いは滑りのよい表面加工がなされているから、使用者の尻(91)を持ち上げなくとも、下記の手順で楽に尻(91)に敷かせることができる。
使用者(９)の足(92)の付け根とベッド(８)との間にシート片(61)を潜りこませて、シート片(61)が尻(91)の下に位置する様に２つの取付け部(62)(62)を引っ張る。滑りのよいシート片(61)は、尻(91)とベッド(８)の間を滑って尻(91)の下に潜り込む。取付け部(62)のカラビナ(64)が滑り止めとなって、取付け部(62)を引っ張る際に力が入り易く、シート片(61)を引っ張る作業性は一層向上する。
使用者(９)がベッド(８)に寝て、足(92)だけをベッド(８)の外に投げ出した姿勢で、上記支え部材(６)りシート片(61)を尻(91)に敷かせれば、シート片(61)に掛かる体重は大幅に減るので、上記作業を一層楽に行うことができる。
【００２３】
次に、上フレーム(３)の閉じ杆(33)を開き、支え部材(６)を外した状態の歩行器(１)を、支え部材(６)を敷いてベッド(８)の端に坐っている使用者(寝た姿勢で支え部材(６)を尻(91)をのに敷いた使用者(９)対しては、起こして坐らせておく)に対して、開放部(21)(31)から接近させる。
図３に示す如く、フレーム(10)内に、使用者の下半身が侵入する程度に歩行器(１)をベッド(８)に突っ込む。これは、実施例の様に、フレーム(10)の前後方向の略中央部から後方にはベッド(８)に衝突する邪魔部材が存在していない歩行器(１)だけが成せる技である。
【００２４】
使用者(８)を上フレーム(３)に掴まらせて、支え部材(６)の３つのカラビナ(64)(64)(64)を、歩行器(１)の上フレーム(３)の３つの孔(35)(35)に引っ掛ける。この動作は、キャスター(４)のロックを利かせて歩行器(１)の移動を防止して行うことが望ましい。
【００２５】
使用者自身或いは介助者が、スイッチ(７)を操作してモータシリンダ(51)を作動し、上フレーム(３)を上昇させ、支え部材(６)上の使用者(９)の尻(91)をベッド(８)から浮上させる。
キャスター(４)のロックを解除し、使用者が自力で、或いは介助者の力を借りて歩行器(１)をベッド(８)から離す。
使用者の使い易い高さ位置に、上フレーム(３)の高さを調整する。又、上フレーム(３)の開放部(31)を閉じ杆(33)で閉じる。
モータシリンダ(51)は、ピストンロッド(54)の有効ストロークの範囲で任意に高さ位置を変えることができるから、使用者(９)が、歩行器(１)に乗ったまま最も自力歩行し易い高さ位置に、或いは、リハビリの目的とする必要な足(91)の筋肉を鍛えるのに最も効果的な高さ位置に、上フレーム(３)の高さ位置、即ち、使用者の尻(91)の位置を調整できる。
【００２６】
上フレーム(３)の開放部(31)は閉じ杆(33)で閉じられているから、使用者が後方に転倒することは防止される。
又、実施例の様に、カラビナ(64)を上フレーム(３)上の孔(35)に引っ掛けて支え部材(６)を上フレーム(３)に取り付ける構成であれば、周知の如く、カラビナ(64)の開放可能部はバネ付勢されて不用意には開かないため、歩行器(１)の使用中に支え部材(６)が外れる危険はない。
カラビナ(32)は、その開放可能部を手指で押し込むと、簡単に開いて上フレーム(３)の孔(35)から外すことができるので、支え部材(６)の取り外しは容易にできる。
【００２７】
使用者(９)を歩行器(１)からベッド(８)に移すには、ベッド(８)から歩行器(１)に移す動作の逆の動作でよい。
【００２８】
上記の如く、本発明の歩行器(１)の使用に際し、介助者が使用者を抱え上げて、歩行器内に導く動作は一切必要がなく、介助者にとっても、使用者にとって、その労力や肉体負担は大きく軽減され、その分、使用者はリハビリに専念でき、介助者は、他の介助に気配りができる。
【００２９】
上記実施例の説明は、本発明を説明するためのものであって、特許請求の範囲に記載の発明を限定し、或いは範囲を減縮する様に解すべきではない。又、本発明の各部構成は上記実施例に限らず、特許請求の範囲に記載の技術的範囲内で種々の変形が可能であることは勿論である。
【００３０】
例えば、上フレーム(３)の閉じ杆(33)は、使用者が後方へ倒れることを防止する危険を回避するためであって、閉じ杆(33)が存在せず、上フレーム(３)の開放部(31)が開放されたままでも、使用目的には影響しない。
【００３１】
支え部材(６)のシート片(61)は略三角形に限定されることなく、使用者の尻(91)を載せることが十分に可能な大きさの布に、使用者の片方づつの足が嵌まる２つの穴を開設したもの等、使用者が尻に敷いて、外側に足を投げ出すことができれば形状は問わない。
又、支え部材(６)の取付け部(62)の個数も、シート片(61)の形状に応じて適当に決めることができ、歩行器(１)の上フレーム(３)の掛り部(32)の個数も取付け部(62)の個数に合わせればよい。
【００３２】
支え部材(６)の取付け部(62)及び上フレーム(３)の掛り部(32)は、上記のものに限定されることはなく、シート片(61)を上フレーム(３)に着脱可能に取り付けできるものであれば、形状及び構成は問わない。
【００３３】
上フレーム(３)を昇降させるモータシリンダ(51)は、２基以上の複数とすれば、上フレーム(３)の取付け剛性が向上し、安定して昇降できるが、１基でも実施可能である。
又、昇降駆動装置(５)は、上記モータシリンダ(51)等の動力駆動式に限るものではなく、動力の不要なガスシリンダ(椅子の高さ調節に多用されていることで公知)、手動式ジャッキ等、上フレーム(３)を高さ調節可能に昇降させることが出来れば構成は問わない。
【００３４】
実施例では、歩行器(１)の下フレーム(２)にも開放部(21)を設けたが、下フレーム(２)に開放部(21)を設けることは必須要件ではない。下フレーム(２)が環状体であっても、使用者(９)の足(92)を下フレーム(２)を交わす程度に少し持ち上げるだけで、歩行器(１)への乗り込みは可能である。下フレーム(２)を環状体とすれば、キャスター(４)の取付け数を増やして、走行に一層安定性をもたせることができる。
【００３５】
又、下フレーム(２)の前部に使用者の足を載せる足受け台(図示せず)を設けておくことができる。介助者が歩行器(１)を押して使用者を移動させる場合、下フレーム(２)の高さ位置を下げて、使用者はシート片(61)に坐り、足を足受け台に載せておくことにより、歩行器(１)の移動を速やかに行うことができる。
フレーム(10)に手押し用のハンドルを設けることもできる。この場合、歩行器(１)への乗り下りの邪魔にならぬ位置にハンドルを設けること、或いはハンドルを着脱可能とすることが必要である。
【図面の簡単な説明】
【００３６】
【図１】歩行器の斜視図である。
【図２】使用者がベッドの端に坐った状態の説明図である。
【図３】歩行器をベッドに突っ込んだ状態の説明図である。
【図４】歩行器の使用状態の説明図である。
【図５】従来例の歩行器の斜視図である。
【図６】同上の歩行器の使用状態の説明図である。
【符号の説明】
【００３７】
１  歩行器
10  フレーム
２  下フレーム
３  上フレーム
４  キャスター
５  昇降駆動装置
６  支え部材
61  シート片
62  取付け部
８  ベッド
【図１】
2007202880.tif 000003
【図２】
2007202880.tif 000004
【図３】
2007202880.tif 000005
【図４】
2007202880.tif 000006
【図５】
2007202880.tif 000007
【図６】
2007202880.tif 000008